(57)【要約】  撮影部（１６）が撮影した加熱庫（１２）内の画像から加熱制御情報認識部（１９）が被加熱物の加熱制御情報を認識し、その加熱制御情報に基づいて加熱制御部（１４）が加熱部（１３）を制御する。さらに、加熱制御情報認識部（１９）による認識が困難な場合には、載置位置誘導部（３０）が撮影部（１６）の撮影範囲に被加熱物を誘導する。これにより、撮影部（１６）として１つのカメラを備える簡易な構成で、加熱制御情報を認識できる。
2018012245.tif 000002
【特許請求の範囲】
【請求項１】
被加熱物が収納される加熱庫と、
前記加熱庫に載置された前記被加熱物を加熱する加熱部と、
前記加熱庫内を撮影する撮影部と、
前記撮影部が撮影した画像から前記被加熱物の加熱制御情報を認識する加熱制御情報認識部と、
前記加熱制御情報認識部の認識した加熱制御情報に基づき前記加熱部を制御する加熱制御部と、
前記被加熱物の載置位置を前記撮影部の撮影範囲に誘導する載置位置誘導部と、
を有する加熱調理器。
【請求項２】
前記載置位置誘導部は、前記加熱制御情報認識部が前記加熱制御情報を認識できない場合に、前記被加熱物の載置位置を前記撮影部の撮影範囲に誘導する、
請求項１記載の加熱調理器。
【請求項３】
前記加熱庫に前記被加熱物を載置していない状態の画像を記憶する庫内空画像記憶部と、前記撮影部が撮影した画像と前記庫内空画像記憶部で記憶している画像とを比較する画像比較部と、
前記画像比較部の比較結果により、前記被加熱物の載置位置を判定し誘導方向を決定する誘導方向決定部と、
を有する請求項１記載の加熱調理器。
【請求項４】
前記加熱庫を開閉するドアと、
前記ドアの開閉を検出するドアスイッチと、
前記加熱部による加熱の開始を操作する操作部と、
前記加熱部による加熱後であって、前記ドアスイッチが前記ドアの開状態を検出後、閉状態を検出した時に、前記撮影部が撮影した画像を記憶する空画像暫定記憶部と、を有し、前記ドアスイッチが前記ドアの閉状態を検出後、前記操作部による加熱の開始が操作されることなく、前記ドアスイッチが前記ドアの開状態を検出した時に、前記空画像暫定記憶部に記憶した画像を前記庫内空画像記憶部へ移動させる請求項３記載の加熱調理器。
【発明の詳細な説明】
【技術分野】
【０００１】
本発明は、食品を加熱する加熱調理器に関するものである。
【背景技術】
【０００２】
代表的な加熱調理器である電子レンジは、鍋やフライパンを使うことなく、食品を容器に入れたままの状態で加熱することができる利便性を有している。そして、弁当または総菜などを容器に入れて販売する販売店において、購入された食品を、店員が電子レンジを使って加熱して提供するサービスが行われている。【０００３】
このような加熱のサービスについて説明する。一般には、弁当または総菜の容器には、電子レンジで加熱するのに最適な加熱時間が表示されている。そして、販売店の店員は、その表示を見て、電子レンジで加熱時間を設定し、加熱する。電子レンジの操作部には数字キーなどを設けられており、加熱時間（分、秒）を手動で設定する。【０００４】
また、電子レンジには複数の操作ボタンを備えてあり、各操作ボタンに、別々の加熱時間が割り当てられている場合もある。この場合、販売店の店員は、加熱する食品に対応したボタンを選択することにより、その食品に適した加熱制御で食品などを加熱して、客に食品を提供することができる。【０００５】
前者の構成のように、加熱時間（分、秒）を数字キーで設定する場合、操作回数が多く、煩わしい操作になってしまう可能性がある。また、後者の構成、つまり、複数の操作ボタンそれぞれに、別々の加熱時間を割り当てられている場合には、食品の種類が増えてくると、ボタンとの対応関係を覚えることが難しくなる可能性がある。【０００６】
これらの煩わしさおよび間違いなどを解消するために、電子レンジが商品毎に加熱制御内容を予め記憶し、販売店の店員が、バーコードリーダを使って商品に添付されているバーコードの情報（コード情報）を読み取り、電子レンジは、そのコード情報から商品に対応した加熱制御内容を呼び出し適切な加熱を行うという方法も提案されている。【０００７】
さらに、バーコードリーダを使うのでなく、電子レンジが庫内を撮影するカメラを備えており、庫内に投入された商品の画像からバーコード部分を抽出して、そのバーコードを読み取ることで、コード情報から商品に対応した加熱制御内容を呼び出して適切な加熱を行うという方法も提案されている（例えば特許文献１参照）。【０００８】
そしてコード情報から商品に対応した加熱制御情報を呼び出すのでなく、加熱制御情報を直接コード情報として商品に添付されていれば、電子レンジが商品ごとの加熱制御情報を予め記憶しておくことも必要ない。【０００９】
このような方法によれば、店員の操作の負担を低減し、誤りのない加熱サービスを行うことが可能となる。
【先行技術文献】
【特許文献】
【００１０】
【特許文献１】特開２００１−３４９５４６号公報
【発明の概要】
【００１１】
電子レンジの庫内に設けられたカメラで撮影した庫内の画像からコード情報を読み取るには、非常に高精細なカメラが必要になる。つまり、バーコードのように白い部分と黒い部分とがあり、それらを明確に判別するためには、黒の線分や白の間隔それぞれに対して数画素を割り当てるだけの解像度がないと、情報を読み取ることはできない。このことは、バーコードであっても、文字・数字やその他の記号等のコード情報であっても同じである。
【００１２】
このために、複数のカメラを使って庫内全体を各カメラが領域分担して撮影し、いずれかのカメラでの撮影画像に映っているコード情報を読み取る方法がある。しかし、この方法では、システムが複雑になる。また、コード情報が複数の画像にまたがってしまう場合などは、読取りが難しくなる。
【００１３】
本発明は、１つのカメラを備える簡易な構成で、加熱制御情報を認識して、自動で加熱制御内容を設定する。
【００１４】
本発明の加熱調理器は、被加熱物が収納される加熱庫と、加熱庫に載置された被加熱物を加熱する加熱部と、加熱庫内を撮影する撮影部と、撮影部が撮影した画像から被加熱物の加熱制御情報を認識する加熱制御情報認識部とを有する。また、加熱制御情報認識部の認識した加熱制御情報に基づき加熱部を制御する加熱制御部と、被加熱物の載置位置を撮影部の撮影範囲に誘導する載置位置誘導部を有する。
【００１５】
本発明によれば、加熱庫内に弁当や総菜などの加熱対象となる被加熱物を入れた場合に、加熱制御情報認識部による認識が困難な場合には、載置位置誘導部が撮影部の撮影範囲に被加熱物を誘導するので、１つのカメラを備える簡易な構成で、加熱制御情報を認識できる。
【図面の簡単な説明】
【００１６】
【図１】図１は、本発明の第１の実施の形態における加熱調理器の外観斜視図である。
【図２】図２は、本発明の第１の実施の形態における加熱調理器の概略構成図である。
【図３】図３は、本発明の第１の実施の形態における加熱調理器で加熱する被加熱物に表示された加熱制御情報を含む商品情報の説明図である。
【図４】図４は、本発明の第１の実施の形態における加熱調理器の画像比較部の比較結果画像で、被加熱物の一辺が周囲に接している場合の差分画像の説明図である。
【図５】図５は、本発明の第１の実施の形態における加熱調理器の画像比較部の比較結果画像で、被加熱物の二辺が周囲に接している場合の差分画像の説明図である。
【図６】図６は、本発明の第１の実施の形態における加熱調理器の画像比較部の比較結果画像で、被加熱物の三辺が周囲に接している場合の比較結果画像の説明図である。
【図７】図７は、本発明の第１の実施の形態における加熱調理器の画像比較部の比較結果画像で、被加熱物の誘導方向を判断できない場合の差分画像の説明図である。
【図８】図８は、本発明の第１の実施の形態における加熱調理器のドアが開状態から閉状態へ変化した場合の動作の流れを示すフローチャートである。
【図９】図９は、本発明の第１の実施の形態における加熱調理器のドアが閉状態から開状態へ変化した場合の動作の流れを示すフローチャートである。
【発明を実施するための形態】
【００１７】
（第１の実施の形態）
図１は、本発明の第１の実施の形態に係る加熱調理器の一例である電子レンジの外観斜視図である。図１に示すように、電子レンジ１は、食品を格納するための筐体２に、食品を出し入れするためのドア３が設けられている。ドア３には、外部から筐体２内部を見えるようにするための透明のガラス窓４と、ドア３を開閉するときに掴む取っ手５と、操作表示部６とが設けられている。
【００１８】
操作表示部６は、液晶表示器７、時間設定ボタン群８、加熱開始ボタン９、取消ボタン１０、および、一時停止ボタン１１を備えている。この電子レンジ１は、後述するように加熱対象（被加熱物）である食品を撮影部により撮影して、食品に表示されている加熱時間を読み取り、その加熱時間で食品を加熱する。
【００１９】
液晶表示器７には、読み取った加熱時間が表示されたり、お知らせの文字が表示されたりする。また、液晶表示器７には、後述する誘導方向決定部３３（図２参照）が決定した誘導方向を表示する。
【００２０】
加熱時間がうまく読み取れなかった場合、または、加熱時間が表示されていない食品を加熱する場合のために、電子レンジ１には時間設定ボタン群８が設けられている。使用者は、数字ボタンと、「分」、および「秒」のボタンを使って、加熱時間を設定することができる。この場合、液晶表示器７には、設定された加熱時間が表示される。
【００２１】
加熱開始ボタン９は、使用者が、液晶表示器７に表示された加熱時間を確認した後、加熱を開始するときに押すボタンである。取消ボタン１０は、使用者が加熱開始ボタン９を押して加熱を開始した後に、加熱途中で加熱を停止させる場合に使用者によって押されたり、液晶表示器７に表示されている加熱時間の設定を取り消す場合に使用者によって押されたりするボタンである。一時停止ボタン１１は、加熱途中で加熱を一時的に停止させる場合に使用者によって押されるボタンである。また、加熱を一時停止した場合に、使用者が、再度、加熱開始ボタン９を押すことで、途中から残りの加熱を行う。
【００２２】
図２は、本実施の形態に係る電子レンジ１の概略構成図である。電子レンジ１は高周波による食品などの加熱が可能であり、食品などの被加熱物を収納する加熱庫１２内に、高周波を出力する加熱部であるマグネトロン１３を備えている。マグネトロン１３により、高周波を加熱庫１２に供給して食品を加熱する。マグネトロン１３は、加熱制御部１４により制御される。
【００２３】
電子レンジ１は、照明１５と、照明１５が設けられたのと同じ側面に、撮影部であるカメラ１６を備えている。カメラ１６は、加熱庫１２内の映像を撮影する。カメラ１６は照明１５と同じ側面に配置しているので、逆光になることなく加熱庫１２内を撮影できる。
【００２４】
筐体２には、ドア３の開閉検知のためのドアスイッチ１７が設けられている。ドア３は、このドアスイッチ１７を押し込むための突起部１８を備えている。
【００２５】
加熱庫１２には、弁当、おにぎり、惣菜などの食品（被加熱物）が入れられる。それら食品それぞれには、食品の加熱制御情報としての、加熱パワーと加熱時間が表示された貼付物であるシール（図３参照）が貼付されている。加熱制御情報認識部１９は、読取部２０を備えていて、読取部２０は、カメラ１６によって撮影した画像から、商品に貼付されているシールの中から加熱制御情報が表示されている個所を抽出し、加熱制御情報の文字（少なくとも数字を含む）を読み取る。
【００２６】
図３に、食品に付与されたシール２１の一例を示す。シール２１には、商品名２２、加熱制御情報２３、金額情報２４、消費期限情報２５、食品を特定するコード記号の一例であるバーコード２６、栄養情報２７、および、お知らせ情報２８など、いろいろな情報が表示されている。このような様々な情報の中から、加熱制御情報２３を抽出しやすいように、シール２１には、加熱制御情報２３を囲むように形成された、矩形状の位置指定マークである目印枠２９が表示されている。
【００２７】
このシール２１の加熱制御情報２３は、２通りの加熱制御情報を含んでいる。より具体的には、このシール２１の加熱制御情報２３は、一般的な家庭用の電子レンジで加熱する時の目安として、例えば５００Ｗの加熱パワーで加熱する場合の加熱時間と、業務用の電子レンジで、大きい加熱パワーで短時間、加熱する時の目安として、例えば１５００Ｗの加熱パワーで加熱する場合の加熱時間が併記されている。例えば、「５００Ｗ２分００秒  １５００Ｗ０分４０秒」などと表示されている。
【００２８】
より具体的には、加熱制御情報２３は、第１文字列〜第６文字列を、第１文字列、第２文字列、・・・第６文字列の順に含む文字列である。第１文字列は所定の加熱パワーでの加熱量を表す数字であり、例えば「５００」である。第２文字列はその加熱パワーの単位を表し、例えば「Ｗ」である。第３文字列はその加熱パワーでの加熱時間である数字であり、例えば「２」である。第４文字列はその加熱時間の単位を表し、例えば「分」である。第５文字列はその加熱パワーでの加熱時間を示す数字であり、例えば「００」である。そして第６文字列はその加熱時間の単位を表し、例えば「秒」である。さらに、加熱制御情報は、第７文字列〜第１２文字列を、第７文字列、第８文字列、・・・第１２文字列の順に含む文字列である。第７文字列は前述した所定の加熱パワーよりも大きい加熱パワーの加熱量を表す数字であり、例えば「１５００」である。第８文字列はその加熱パワーの単位を表し、例えば「Ｗ」である。第９文字列はその加熱パワーでの加熱時間である数字であり、例えば「０」である。第１０文字列はその加熱時間の単位を表し、例えば「分」である。第１１文字列はその加熱パワーでの加熱時間を示す数字であり、例えば「４０」である。そして第１２文字列はその加熱時間の単位を表し、例えば「秒」である。
【００２９】
なお、本実施の形態では、第２文字列、および、第８文字列として、熱量を表すＳＩ単位である「Ｗ（ワット）」を用いたが、加熱パワーの単位を表すものであれば、他の文字または単位でもよい。また、第４文字列、第６文字列、第１０文字列、および、第１２文字列として、時間の単位を表す文字として「分」または「秒」を用いたが、時間の単位を表すものであれば、他の文字または単位でもよい。
【００３０】
読取部２０は、カメラ１６によって撮影された画像から、まず、目印枠２９を抽出する。次に、読取部２０は、目印枠２９で囲まれた中の英数字を「５００Ｗ２００１５００Ｗ０４０」という文字列で読み取る。ここで、読取部２０は、「分」、「秒」といった時間の単位を表す文字は読み取らない、または、読み取ったとしても解析には用いない。
【００３１】
そして、読取部２０は、予め定めた解析ルールに従い、文字列を、「Ｗ」までの数字列、「Ｗ」の後の３桁の数字列、その３桁の数字列に続く「Ｗ」までの数字列、および、「Ｗ」の後の３桁の数字列の４つに分解して「５００」、「２００」、「１５００」、「０４０」を得る。さらに、２番目の数字列と４番目の数字列のそれぞれは、最初の１桁が「分」であり、後の２桁が「秒」であるとして解析する。また、読取部２０は、１番目の数字列が加熱パワーであるとともに、２番目の数字列の時間と対応しているとして解析し、３番目の数字列が加熱パワーであるとともに、４番目の数字列の時間が対応しているとして解析する。この結果、読取部２０は、「５００Ｗで２分」、「１５００Ｗで４０秒」という加熱情報を読み取る。
【００３２】
図２に基づいて、説明を続ける。使用者は、ドア３を開けて、食品を加熱庫１２に入れ、ドア３を閉じる。読取部２０は、ドアスイッチ１７によりドアが開けられ、閉じられたことを検出すると、カメラ１６により撮影した加熱庫１２内部の画像から、上述したように加熱制御情報を読み取る。
【００３３】
読取部２０は２通りの加熱制御情報を読み取ると、２通りの加熱制御情報のうち、電子レンジ１で使える加熱パワーの範囲内で、より大きいパワーでの加熱制御情報を選択し、操作表示部６と加熱制御部１４に送る。操作表示部６は、液晶表示器７に、その加熱制御情報に含まれる加熱時間を表示する。
【００３４】
使用者は、液晶表示器７に適切な時間が表示されたのを確認して、加熱開始ボタン９を押す。加熱制御部１４は、ドアスイッチ１７からドア３が閉じられていることを受け、かつ、操作表示部６から加熱開始ボタン９が押されたことを受けると、読取部２０から送られてきた加熱制御情報に含まれる加熱パワーと加熱時間で、食品を加熱するようマグネトロン１３を制御する。
【００３５】
次に、載置位置誘導部３０について説明する。載置位置誘導部３０は、カメラ１６が撮影した画像から、食品がどこに置かれているかを検出して、食品を移動させる方向に、食品を誘導するためのものである。
【００３６】
載置位置誘導部３０は、使用者が食品を加熱庫１２に入れる際に、偏った置き方などをして、カメラ１６の撮影範囲に加熱制御情報２３および目印枠２９が入っていない場合に、カメラ１６が撮影した画像から、食品がどこに置かれているかを検出して、食品を移動させる方向を決定することが望ましい。以下、カメラ１６の撮影範囲に目印枠２９が入っていない場合に、載置位置誘導部３０が食品を移動させる方向（誘導方向）を決定し、この方向を液晶表示器７に表示するものとして説明する。
【００３７】
載置位置誘導部３０は、庫内空画像記憶部３１、画像比較部３２、誘導方向決定部３３、および、空画像暫定記憶部３４を備えている。庫内空画像記憶部３１は、庫内に食品が置かれていない空の状態の時の画像（庫内空画像）を記憶する。画像比較部３２は、カメラ１６で撮影した庫内画像と庫内空画像記憶部３１で記憶している庫内空画像とを比較することで、庫内画像から庫内の底面の部分を除き、食品の部分だけを抽出する。誘導方向決定部３３は、その食品の部分が、庫内画像全体の中のどこに偏って置かれているかを検出し、どの方向に食品を動かすべきかを判定して誘導方向を決定する。
【００３８】
空画像暫定記憶部３４は、加熱庫１２に食品が置かれていない空の状態の画像を庫内空画像記憶部３１に記憶させるために、マグネトロン１３による加熱後で、ドアスイッチ１７によりドア３が閉じたことが検出された時に、カメラ１６により撮影した画像を暫定的に記憶するものである。
【００３９】
一般には、使用者は、食品を入れたり出したりするためにドア３を開閉する。食品を入れてドア３を閉じた時には、その後に加熱開始ボタン９を操作し、食品の加熱を行う。加熱が終わった後にドア３を開ける。
【００４０】
使用者が食品を取り出して、ドア３を閉じた時が、加熱庫１２の空の状態である。この状態の時には、次に食品を入れるためにドア３を開けるまで、加熱開始ボタン９の操作により、食品が加熱されることはない。
【００４１】
このため、ドアが開状態から閉状態へ変化した時に撮影した画像のうち、次にドアが開状態になるまでに、加熱開始ボタン９の操作がなかった画像が、加熱庫１２内が空の状態の時に撮影された画像である可能性が高い。
【００４２】
したがって、カメラ１６は、ドアスイッチ１７によりドア３が閉じたことを検出されたときに、その都度、加熱庫１２内の映像を撮影する。そして、空画像暫定記憶部３４は、その都度、カメラ１６により撮影された画像を記憶する。その後、加熱開始ボタン９が押されることなく、ドアスイッチ１７によりドア３が開いたことを検出されると、庫内空画像記憶部３１は、空画像暫定記憶部３４に記憶されている画像を取り出して、庫内空画像として記憶する。
【００４３】
ただし、載置位置誘導部３０による誘導によって、食品を加熱せずに食品の載置場所を移動させてドア３を閉める場合もあるので、カメラ１６は、食品の加熱後のドア開閉の場合のみ、撮影することが望ましい。または、空画像暫定記憶部３４は、食品の加熱後のドア開閉の場合のみ、カメラ１６により撮影された画像を記憶することが望ましい。
【００４４】
次に、画像比較部３２が行う比較方法について説明する。画像比較部３２は、カメラ１６により撮影した庫内画像と、庫内空画像記憶部３１で記憶している庫内空画像とを比較して差分を取り出す。具体的には、カメラ１６が撮影した庫内画像の各画素のグレースケール値と、庫内空画像記憶部３１が記憶している庫内空画像の各画素のグレースケール値を、同じ位置の画素について差を算出する。そして、その差が所定の範囲以上になる画素の位置を抽出する。このように抽出することで、庫内空画像と差のある画素の位置が抽出される。その結果、食品の置かれている位置が抽出されることになる。
【００４５】
次に、図４〜図７を用いて、画像比較部３２の比較結果に基づく、誘導方向決定部３３の判定方法について説明する。誘導方向決定部３３は、画像比較部３２が抽出した食品の置かれている位置（食品位置）が、庫内画像の周囲のどの辺に接している位置であるかによって分類する。
【００４６】
まず、誘導方向決定部３３は、食品位置が、庫内画像の周囲の四辺のうち、いくつの辺と接している位置であるかを判定する。
【００４７】
食品位置が、庫内画像の一辺が接している位置である例について、図４を用いて説明する。図４は食品の部分だけを抽出した差分画像であり、図４において、斜線の部分が画像比較部３２で抽出した食品の置かれている位置である。
【００４８】
図４中の（ａ）は、食品位置が、庫内画像の周囲のうち、下側の一辺に接していることを示している。この画像からは、食品がカメラ１６の撮影範囲のうち、手前側（ドア３側）に偏って置かれていると判断する。この場合には、誘導方向決定部３３は、誘導方向を奥側であると決定する。そして、「奥に置いて下さい」と液晶表示器７に表示する。
【００４９】
また、図４中の（ｂ）は、食品位置が、庫内画像の周囲のうち、左側の一辺と接していることを示している。この画像からは、食品がカメラ１６の撮影範囲のうち、加熱庫１２の奥に向かって左側に偏って置かれていると判断する。この場合には、誘導方向決定部３３は、誘導方向を加熱庫１２の奥に向かって右側であると決定する。そして、「右に置いて下さい」と液晶表示器７に表示する。
【００５０】
また、図４中の（ｃ）は、食品位置が、庫内画像の周囲のうち、上側の一辺と接していることを示している。この画像からは、食品がカメラ１６の撮影範囲のうち、奥側に偏って置かれていると判断する。この場合には、誘導方向決定部３３は、誘導方向を手前側であると決定する。そして、「手前に置いて下さい」と液晶表示器７に表示する。
【００５１】
また、図４中の（ｄ）は、食品位置が、庫内画像の周囲のうち、右側の一辺と接していることを示している。この画像からは、食品がカメラ１６の撮影範囲のうち、加熱庫１２の奥に向かって右側に偏って置かれていると判断する。この場合には、誘導方向決定部３３は、誘導方向を加熱庫１２の奥に向かって左側であると決定する。そして、「左に置いて下さい」と液晶表示器７に表示する。
【００５２】
つまり、誘導方向決定部３３は、食品位置が、庫内画像の周囲の四辺のうち、１つの辺と接している位置である場合には、その接した辺に対向する辺が位置する方向を、食品を移動すべき方向とする。
【００５３】
次に、食品位置が、庫内画像の隣接する二辺と接している位置である例について、図５を用いて説明する。図５も図４と同様、食品の部分だけを抽出した差分画像であり、図５において、斜線の部分が画像比較部３２で抽出した食品の置かれている位置である。
【００５４】
図５中の（ａ）は、食品位置が、庫内画像の周囲のうち、左側と下側の二辺に接していることを示している。この画像からは、食品がカメラ１６の撮影範囲のうち、加熱庫１２の奥に向かって左手前側に偏って置かれていると判断する。この場合には、誘導方向決定部３３は、誘導方向を加熱庫１２の奥に向かって右奥側であると決定する。そして、「右奥に置いて下さい」と液晶表示器７に表示する。
【００５５】
図５中の（ｂ）は、食品位置が、庫内画像の周囲のうち、左側と上側の二辺に接していることを示している。この画像からは、食品がカメラ１６の撮影範囲のうち、加熱庫１２に向かって左奥側に偏って置かれていると判断する。この場合には、誘導方向決定部３３は、誘導方向を加熱庫１２の奥に向かって右手前側であると決定する。そして、「右手前に置いて下さい」と液晶表示器７に表示する。
【００５６】
図５中の（ｃ）は、食品位置が、庫内画像の周囲のうち、右側と上側の二辺に接していることを示している。この画像からは、食品がカメラ１６の撮影範囲のうち、加熱庫１２の奥に向かって右奥側に偏って置かれていると判断する。この場合には、誘導方向決定部３３は、誘導方向を加熱庫１２の奥に向かって左手前側であると決定する。そして、「左手前に置いて下さい」と液晶表示器７に表示する。
【００５７】
図５中の（ｄ）は、食品位置が、庫内画像の周囲のうち、右側と下側の二辺に接していることを示している。この画像からは、食品がカメラ１６の撮影範囲のうち、加熱庫１２の奥に向かって右手前側に偏って置かれていると判断する。この場合には、誘導方向決定部３３は、誘導方向を加熱庫１２の奥に向かって左奥側であると決定する。そして、「左奥に置いて下さい」と液晶表示器７に表示する。
【００５８】
つまり、誘導方向決定部３３は、食品位置が、庫内画像の周囲の四辺のうち、２つの辺と接している位置である場合には、それらの２つの接する辺が形成する角に、対向する角が位置する方向を、食品を移動すべき方向とする。これによれば、誘導方向決定部３３は、食品を移動すべき方向として、加熱庫１２の左右方向や奥行き方向だけでなく、右奥や左手前などといった斜め方向も含めた方向を選択できる。このため、使用者は、食品を移動させる方向を、より理解しやすい。
【００５９】
次に、食品位置が、庫内画像の三辺と接している位置である例について、図６を用いて説明する。図６も図４と同様、食品の部分だけを抽出した差分画像であり、図６において、斜線の部分が画像比較部３２で抽出した食品の置かれている位置である。
【００６０】
図６中の（ａ）は、食品位置が、庫内画像の周囲のうち、下側と左側と上側の三辺に接していることを示している。この画像からは、食品がカメラ１６の撮影範囲のうち、加熱庫１２の奥に向かって左側に偏って置かれていると判断する。また、食品位置は、庫内画像の上側と下側の両方の辺に接しているので、食品は、奥行き方向には偏っていないと判断する。この場合には、誘導方向決定部３３は、誘導方向を右側であると決定する。そして、「右に置いて下さい」と液晶表示器７に表示する。
【００６１】
図６中の（ｂ）は、食品位置が、庫内画像の周囲のうち、左側と上側と右側の三辺に接していることを示している。この画像からは、食品がカメラ１６の撮影範囲のうち、加熱庫１２の奥側に偏って置かれていると判断する。また、食品位置は、庫内画像の左側と右側の両方の辺に接しているので、食品は、左右方向には偏っていないと判断する。この場合には、誘導方向決定部３３は、誘導方向を手前側であると決定する。そして、「手前に置いて下さい」と液晶表示器７に表示する。
【００６２】
図６中の（ｃ）は、食品位置が、庫内画像の周囲のうち、上側と右側と下側の三辺に接していることを示している。この画像からは、食品がカメラ１６の撮影範囲のうち、加熱庫１２の奥に向かって右側に偏って置かれていると判断する。また、食品位置は、庫内画像の下側と上側の両方の辺に接しているので、食品は、奥行き方向には偏っていないと判断する。この場合には、誘導方向決定部３３は、誘導方向を左側であると決定する。そして、「左に置いて下さい」と液晶表示器７に表示する。
【００６３】
図６中の（ｄ）は、食品位置が、庫内画像の周囲のうち、右側と下側と左側の三辺に接していることを示している。この画像からは、食品がカメラ１６の撮影範囲のうち、加熱庫１２の奥に向かって手前側に偏って置かれていると判断する。また、食品位置は、庫内画像の左側と右側の両方の辺に接しているので、食品は、左右方向には偏っていないと判断する。この場合には、誘導方向決定部３３は、誘導方向を奥側であると決定する。そして、「奥に置いて下さい」と液晶表示器７に表示する。
【００６４】
つまり、誘導方向決定部３３は、食品位置が、庫内画像の周囲の四辺のうち、３つの辺と接している位置である場合には、３つの辺のうち中央に位置する辺に、対向する辺が位置する方向を、食品を移動すべき方向とする。
【００６５】
次に、どちらに誘導すれば良いのか判断できない例について、図７を用いて説明する。図７も図４と同様、食品の部分だけを抽出した差分画像であり、図７において、斜線の部分が画像比較部３２で抽出した食品の置かれている位置である。
【００６６】
図７中の（ａ）は、食品位置が、庫内画像の周囲のどの辺にも接していないことを示している。この画像からは、食品がカメラ１６の撮影範囲の中央に置かれていると判断する。
【００６７】
また、図７中の（ｂ）は、食品位置が、庫内画像の四辺すべてに接していることを示している。この画像からは、食品がカメラ１６の撮影範囲のどちらにも偏っていない、つまり、中央に置かれていると判断する。
【００６８】
図７中の（ｃ）は、食品位置が、庫内画像の下側と上側の二辺に接していることを示している。この画像からは、食品がカメラ１６の撮影範囲のうち、手前側にも奥側にも偏っておらず、かつ、左側にも右側にも偏っていない、つまり、中央に置かれていると判断する。
【００６９】
図７中の（ｄ）は、食品位置が、庫内画像の左側と右側の二辺に接している位置である場合の差分画像である。この画像からは、食品がカメラ１６の撮影範囲のうち、左側にも右側にも偏っておらず、かつ、手前側にも奥側にも偏っていない、つまり、中央に置かれていると判断する。
【００７０】
図７に示した差分画像からは、食品は中央に置かれていると判断されるため、誘導方向決定部３３は、誘導方向を決定することはできない。このため、誘導方向決定部３３は、例えば「手動設定して下さい」と液晶表示器７に表示する。これは、加熱制御情報２３および目印枠２９が、食品の容器などに印刷されていない可能性が高いからである。
【００７１】
以上説明したように、カメラ１６の撮影範囲に目印枠２９が入っていない場合には、載置位置誘導部３０は、画像比較部３２が抽出した食品の置かれている位置が、庫内画像の周囲のどの辺に接している位置であるかに応じて、食品を移動させる方向を決定する。
【００７２】
誘導方向決定部３３は、まず、食品位置が、庫内画像の周囲の四辺のうち、いくつの辺と接している位置であるかを判定する。食品位置が、庫内画像の周囲の四辺のうち、１つの辺とも接していない位置である場合、または、４つの辺すべてに接している位置である場合には、食品を移動させる方向を決定することなく、液晶表示器７に、操作表示部６による設定を促すメッセージなどの表示を行う。
【００７３】
また、食品位置が、庫内画像の周囲の四辺のうち、１つの辺にのみ接している位置である場合には、その接した辺に対向する辺が位置する方向を、食品を移動すべき方向とし、その方向を液晶表示器７に表示する。
【００７４】
また、食品位置が、庫内画像の周囲の四辺のうち、２つの辺に接している位置である場合には、その２つの辺が対向する辺であるか、隣接する辺であるかを判定し、食品が接する２つの辺が対向する辺であれば、食品を移動させる方向を決定することなく、液晶表示器７に、操作表示部６による設定を促すメッセージなどの表示を行う。また、食品が接する２つの辺が隣接する辺であれば、それらの２つの接する辺が形成する角に、対向する角が位置する方向を、食品を移動すべき方向とし、その方向を液晶表示器７に表示する。
【００７５】
また、食品位置が、庫内画像の周囲の四辺のうち、３つの辺に接している位置である場合には、３つの辺のうち中央に位置する辺に対向する辺が位置する方向を、食品を移動すべき方向とし、その方向を液晶表示器７に表示する。
【００７６】
図８、図９に、加熱制御部１４、加熱制御情報認識部１９、および、載置位置誘導部３０の動作の流れを説明するフローチャートを示す。図８は、ドア３が開状態から閉状態へ変化した場合のそれぞれの動作を示すフローチャートである。図９は、ドア３が閉状態から開状態へ変化した場合のぞれぞれの動作を示すフローチャートである。
【００７７】
まず、ドア３の開状態から閉状態への変化は、ドアスイッチ１７により検出できる。具体的には、ドアスイッチ１７が、ドア３の開状態を検出後、閉状態を検出した場合である。
【００７８】
図８において、ステップＳ１では、加熱フラグが「１」になっているかどうかをチェックし、加熱フラグが「１」であればステップＳ２に進む一方、加熱フラグが１でなければステップＳ５に進む。加熱フラグは、マグネトロン１３により加熱を行っていたかどうかを区別するためのもので、加熱を行っていれば「１」とし、加熱を行っていなければ「０と」する１ビットの変数である。
【００７９】
ステップＳ２において、カメラ１６は加熱庫１２内を撮影する。ステップＳ３において、空画像暫定記憶部３４は、カメラ１６が撮影した庫内画像を記憶する。ステップＳ４で、加熱フラグを「１」から「０」にリセットする。
【００８０】
ステップＳ５で、読取部２０はカメラ１６が撮影した庫内画像から目印枠２９を探し、目印枠２９が見つかればステップＳ６に進む一方、目印枠２９が見つからなければステップＳ１０に進む。
【００８１】
ステップＳ６では、読取部２０が加熱制御情報２３を読み取る。その後、ステップＳ７に進む。
【００８２】
ステップＳ７において、加熱制御部１４は使用者により加熱開始ボタン９を押されたかを検出して、加熱開始ボタン９が押されたらステップＳ８に進む一方、押されなければステップＳ７を繰り返し、加熱開始ボタン９が押されるまで待機する。
【００８３】
そして、ステップＳ８で、加熱制御部１４は読取部２０で読取った加熱制御情報に基づいて、マグネトロン１３により食品の加熱を行う。ステップＳ９で、加熱フラグを「１」にして処理を終了する。
【００８４】
前述したステップＳ５において、読取部２０が目印枠２９を見つけられなかった場合には、ステップＳ１０において、画像比較部３２が、カメラ１６が撮影した庫内画像と庫内空画像記憶部３１に記憶している庫内空画像とを比較して、差分画像を抽出する。
【００８５】
ステップＳ１１で誘導方向決定部３３がその差分画像から図４〜図７に示したように接している周囲の辺で分類する。つまり、差分画像が図７の（ａ）〜（ｄ）のいずれかであるかどうかを判定する。より具体的には、ステップＳ１１で誘導方向決定部３３がその差分画像から、食品の置かれている位置が、庫内画像の周囲の四辺のうち、いくつの辺と接している位置であるかを判定する。
【００８６】
ステップＳ１１において、差分画像が図７の（ａ）〜（ｄ）のいずれかであればステップＳ１２に進む一方、そうでなければステップＳ１３に進む。ここで、差分画像が図７の（ａ）〜（ｄ）のいずれかという場合は、誘導方向決定部３３が誘導方向を決められない場合である。
【００８７】
または、ステップＳ１１において、差分画像の食品位置が、庫内画像の周囲の四辺のうち、１つの辺とも接していない位置である場合、隣接しない２つの辺に接している位置である場合、４つの辺すべてに接している位置である場合のいずれかの場合には、ステップＳ１２に進む一方、そうでなければステップＳ１３に進む。
【００８８】
ステップＳ１２では、「手動設定して下さい」と液晶表示器７に表示する。その後、ステップＳ１５に進む。
【００８９】
そして、ステップＳ１５では、例えば加熱パワーと加熱時間からなる加熱制御情報が手動で設定されたかどうかを判定し、手動で設定されれば、ステップＳ７に進み、前述のように加熱制御部１４は加熱開始ボタン９が押されるのを待機する一方、加熱制御情報が手動で設定がされなければ処理を終了する。
【００９０】
前述したステップＳ１１において、ステップＳ１３に進んだ場合には、ステップＳ１３で、誘導方向決定部３３は、誘導方向を決定する。
【００９１】
つまり、差分画像の食品位置が、庫内画像の周囲の四辺のうち、１つの辺のみに接している位置である場合には、その接した辺に対向する辺が位置する方向を誘導方向とする。
【００９２】
また、差分画像の食品位置が、庫内画像の周囲の四辺のうち、隣接する２つの辺に接している位置である場合には、それらの２つ辺が形成する角に、対向する角が位置する方向を誘導方向とする。
【００９３】
また、差分画像の食品位置が、庫内画像の周囲の四辺のうち、３つの辺に接している位置である場合には、３つの辺のうち中央に位置する辺に、対向する辺が位置する方向を誘導方向とする。
【００９４】
そして、ステップＳ１４で誘導方向決定部３３はステップＳ１３で決定した誘導方向を液晶表示器７に表示する。その後、処理を終了する。
【００９５】
次に、ドア３が閉状態から開状態へ変化した場合の動作について説明する。ドア３の閉状態から開状態への変化は、ドアスイッチ１７により検出できる。具体的には、ドアスイッチ１７が、ドア３の閉状態を検出後、開状態を検出した場合である。
【００９６】
図９に示すように、載置位置誘導部３０は、ステップＳ１０１において空画像暫定記憶部３４に画像が記憶されているかどうかをチェックし、画像が記憶されていれば、ステップＳ１０２へ進む一方、画像が記憶されていなければ、処理を終了する。
【００９７】
ステップＳ１０２では、加熱フラグが０かどうかをチェックし、加熱フラグが０である、即ち、加熱されていなかったのであれば、ステップＳ１０３へ進み、加熱フラグが０でない、即ち加熱されたのであれば、処理を終了する。
【００９８】
ステップＳ１０３に進んだ場合は、ドア３が閉状態から開状態へ切り替わった時に、空画像暫定記憶部３４に画像が記憶されていて、かつ、加熱はされていない場合である。そして、空画像暫定記憶部３４に記憶された画像は、加熱庫１２内が空の状態の画像と考えられる。このため、ステップＳ１０３では、空画像暫定記憶部３４に記憶された画像を、庫内空画像記憶部３１に移す。その後、処理を終了する。
【００９９】
このように、本実施の形態によれば、カメラ１６が撮影した加熱庫１２内の画像から加熱制御情報認識部１９が被加熱物の加熱制御情報を認識し、その加熱制御情報に基づいて加熱制御部１４がマグネトロン１３を制御する。このため、使用者は煩わしい操作をする必要がない。また、加熱制御情報認識部１９による認識が困難な場合には、載置位置誘導部３０がカメラ１６の撮影範囲に被加熱物を誘導することを使用者に促すので、１つのカメラを備える簡易な構成で加熱制御情報を認識できる。
【０１００】
なお、本実施の形態では、加熱制御情報の文字を読み取って認識するとしたが、文字ではなくバーコードなどの記号情報でも良く、更には色や形状などで認識しても良い。
【０１０１】
以上説明したように、本発明は、被加熱物が収納される加熱庫と、加熱庫に載置された被加熱物を加熱する加熱部と、加熱庫内を撮影する撮影部と、撮影部が撮影した画像から被加熱物の加熱制御情報を認識する加熱制御情報認識部と、を有する。さらに、加熱制御情報認識部の認識した加熱制御情報に基づき加熱部を制御する加熱制御部と、被加熱物の載置位置を撮影部の撮影範囲に誘導する載置位置誘導部と、を有する。
【０１０２】
この構成により、撮影部が撮影した加熱庫内の画像から加熱制御情報認識部が被加熱物の加熱制御情報を認識し、その加熱制御情報に基づいて加熱制御部が加熱部を制御する加熱調理器であって、加熱制御情報認識部による認識が困難な場合には、載置位置誘導部が撮影部の撮影範囲に被加熱物を誘導するので、１つのカメラを備える簡易な構成で、加熱制御情報を認識して、自動で加熱制御内容を設定することができる。
【０１０３】
また、本発明は、加熱制御情報認識部が加熱制御情報を見つけられない場合に、載置位置誘導部が被加熱物の載置位置を撮影部の撮影範囲に誘導するものであってもよい。
【０１０４】
この構成により、加熱制御情報認識部が加熱制御情報を見つけられない場合には、載置位置誘導部が被加熱物の載置位置を撮影範囲に誘導するので、１つのカメラを備える簡易な構成で、加熱制御情報を認識して、自動で加熱制御内容を設定することができる。
【０１０５】
また、本発明は、加熱庫に被加熱物を載置していない状態の画像を記憶する庫内空画像記憶部と、撮影部が撮影した画像と庫内空画像記憶部で記憶している画像とを比較する画像比較部と、画像比較部の比較結果により、被加熱物の載置位置を判定し誘導方向を決定する誘導方向決定部とを有するものであってもよい。
【０１０６】
この構成により、画像比較部が、撮影された画像と庫内空画像記憶部に記憶されている食品を載置していない時の画像とを比較し、誘導方向決定部が被加熱物の載置位置を判定して誘導方向を決定するので、撮影部の撮影範囲内に被加熱物を誘導でき、１つのカメラを備える簡易な構成で、加熱制御情報を認識して、自動で加熱制御内容を設定することができる。
【０１０７】
また、本発明は、加熱庫を開閉するドアと、ドアの開閉を検出するドアスイッチと、加熱部による加熱の開始を操作する操作部と、加熱部による加熱後であって、ドアスイッチがドアの開状態を検出後、閉状態を検出した時に、撮影部が撮影した画像を記憶する空画像暫定記憶部と、を有する。さらに、ドアスイッチがドアの閉状態を検出後、操作部による加熱の開始が操作されることなく、ドアスイッチがドアの開状態を検出した時に、空画像暫定記憶部に記憶した画像を庫内空画像記憶部へ移動させるものであってもよい。
【０１０８】
この構成によれば、空画像暫定記憶部には加熱後でドアが開状態から閉状態へ変化した時に撮影した画像を記憶する。この画像は、庫内が空の状態の画像であるか、庫内に被加熱物がある状態の画像か、わからない。しかし、その後に、ドアが開状態になるまでに、加熱を開始する操作がなければ、空画像暫定記憶部に記憶されている画像は、庫内が空の状態の時に撮影された画像であると考えられる。このため、その画像を庫内空画像記憶部へ移動させることで、常に最新の庫内が空の状態の画像を記憶できる。これによって、適切に空の状態の画像との比較ができて、撮影部の撮影範囲内に被加熱物を誘導でき、１つのカメラを備える簡易な構成で、加熱制御情報を認識して、自動で加熱制御内容を設定することができる。
【産業上の利用可能性】
【０１０９】
以上のように本発明によれば、使用者は食品を加熱庫内に入れるだけで、その食品の容器などに印刷されている加熱制御情報を読み取り、その通りに適切に加熱することができるので設定の煩わしさがなく、販売店で使われる電子レンジ、家庭用の電子レンジの他、加熱制御情報を読み取る装置と接続することによって炊飯器やＩＨクッキングヒータなど、調理器全般に適用できる。
【符号の説明】
【０１１０】
１  電子レンジ
２  筐体
３  ドア
４  ガラス窓
５  取っ手
６  操作表示部
７  液晶表示器
８  時間設定ボタン群
９  加熱開始ボタン
１０  取消ボタン
１１  一時停止ボタン
１２  加熱庫
１３  マグネトロン（加熱部）
１４  加熱制御部
１５  照明
１６  カメラ（撮影部）
１７  ドアスイッチ
１８  突起部
１９  加熱制御情報認識部
２０  読取部
２１  シール
２２  商品名
２３  加熱制御情報
２４  金額情報
２５  消費期限情報
２６  バーコード
２７  栄養情報
２８  お知らせ情報
２９  目印枠
３０  載置位置誘導部
３１  庫内空画像記憶部
３２  画像比較部
３３  誘導方向決定部
３４  空画像暫定記憶部
【図１】
2018012245.tif 000003
【図２】
2018012245.tif 000004
【図３】
2018012245.tif 000005
【図４】
2018012245.tif 000006
【図５】
2018012245.tif 000007
【図６】
2018012245.tif 000008
【図７】
2018012245.tif 000009
【図８】
2018012245.tif 000010
【図９】
2018012245.tif 000011
【国際調査報告】
2018012245.tif 000012
2018012245.tif 000013
2018012245.tif 000014
2018012245.tif 000015